(57)【要約】【課題】乗客がエレベータおよび建物内の他の交通手段のうちいずれを利用して行先階に移動すべきかを容易に把握し、かつ行先階までの乗客の移動の効率を向上させる。【解決手段】乗客が入力装置１を操作して行先階を入力すると、群管理制御装置２の割り当て制御部２１は、入力装置１の設置階へ応答させるのに適切な号機を選択する。エレベータ所要時間算出部２３は、選択号機を乗客が利用した場合の行先階までの所要時間を算出する。エスカレータ所要時間算出部２４は、乗客がエスカレータを利用した場合の行先階までの所要時間を算出する。案内処理部２６は、算出結果をもとに乗客への案内対象の交通手段を判定し、当該交通手段の利用のための案内メッセージ、および乗客の現在位置から案内対象の交通手段の乗場までの経路の案内情報を入力装置１に隣接する案内表示装置３に表示させる。【選択図】      図１
2010070382.tif 000002
【特許請求の範囲】
【請求項１】
エレベータ乗場や他の交通手段の乗場とは異なる箇所において行先階の入力を受け付ける入力手段と、
前記入力手段による入力を行なった乗客が前記エレベータを用いて前記行先階まで移動すると仮定した場合の当該乗客の前記行先階までの移動所要時間を算出する第１の算出手段と、
前記乗客が前記他の交通手段を用いて前記行先階まで移動すると仮定した場合の当該乗客の前記行先階までの移動所要時間を算出する第２の算出手段と、
前記第１および第２の算出手段による算出結果をもとに、前記エレベータおよび前記他の交通手段のうち前記乗客の前記行先階までの移動のための利用に適切な交通手段を当該乗客に案内する案内手段と
を備えたことを特徴とする昇降機システム。
【請求項２】
前記案内手段は、
前記第１の算出手段により算出した移動所要時間および前記第２の算出手段により算出した移動所要時間のうち短い移動所要時間に関わる交通手段を案内する
ことを特徴とする請求項１に記載の昇降機システム。
【請求項３】
前記第１の算出手段は、
前記入力手段による行先階の入力箇所から最寄の前記エレベータ乗場までの前記乗客の移動所要時間、当該乗客が前記エレベータ乗場に到着してから当該エレベータ乗場に乗りかごが到着するまでの所要時間、および前記乗りかごが前記エレベータ乗場に到着してから前記入力した行先階に到着するまでの所要時間の和を算出する
ことを特徴とする請求項１に記載の昇降機システム。
【請求項４】
前記他の交通手段はエスカレータであり、
前記第２の算出手段は、
前記乗客が前記入力手段による行先階の入力箇所から最寄の前記エスカレータの乗場までの移動所要時間および当該乗客が前記乗場に到着してから前記行先階に到着するまでの所要時間の和を算出する
ことを特徴とする請求項１に記載の昇降機システム。
【請求項５】
前記案内手段により前記エレベータを案内した場合に当該エレベータのホール呼び登録および前記行先階までエレベータを運転するための行先呼び登録を行なう呼び手段をさらに備えた
ことを特徴とする請求項１に記載の昇降機システム。
【請求項６】
前記乗りかごが複数台あり、
前記入力手段により行先階が入力された場合に、ホール呼びが登録されて前記乗客が前記エレベータを交通手段として前記エレベータ乗場から乗りかごに乗車すると仮定した場合の、前記入力した行先階までの前記乗客の移動所要時間が最短となる乗りかごを選択する選択手段をさらに備え、
前記第１の算出手段は、
前記入力手段による行先階の入力箇所から前記エレベータ乗場までの前記乗客の移動所要時間、当該乗客が前記エレベータ乗場に到着してから前記選択手段により選択した乗りかごが当該エレベータ乗場に到着するまでの所要時間、および前記選択した乗りかごが前記エレベータ乗場に到着してから前記入力した行先階に到着するまでの所要時間の和を算出する
ことを特徴とする請求項１に記載の昇降機システム。
【請求項７】
前記案内手段は、
前記エレベータを案内する場合に前記選択手段により選択した乗りかごの号機をさらに案内する
ことを特徴とする請求項６に記載の昇降機システム。
【請求項８】
前記案内手段は、
前記案内する交通手段の乗場までの経路をさらに案内する
ことを特徴とする請求項１に記載の昇降機システム。
【請求項９】
前記入力手段による入力箇所から前記エレベータを含む各交通手段までの経路に沿った床に経路案内表示灯をさらに備え、
前記案内手段は、
前記交通手段の案内を行なう際に、当該案内する交通手段の乗場までの経路の床に備えられた前記経路案内表示灯の表示形態を変更する
ことを特徴とする請求項１に記載の昇降機システム。
【請求項１０】
前記入力手段は、前記行先階まで移動する乗客の人数をさらに入力し、
前記エレベータの乗りかごの荷重を検出する検出手段と、
前記検出手段による検出結果をもとに、前記入力した数の乗客が前記乗りかごに乗車できるか否かを判別する判別手段とをさらに備え
前記案内手段は、
前記入力した数の乗客が前記乗りかごに乗車できないと前記判別手段が判別した場合に前記他の交通手段を案内する
ことを特徴とする請求項１に記載の昇降機システム。
【請求項１１】
前記入力手段は、
前記エレベータの利用を要する乗客がいる旨の入力操作をさらに受け付け、
前記案内手段は、
前記エレベータの利用を要する乗客がいる旨の入力操作を前記入力手段により受け付けた場合に当該エレベータを案内する
ことを特徴とする請求項１に記載の昇降機システム。
【請求項１２】
現在時刻が前記入力した行先階への前記他の交通手段による移動ができない予め定められた時間帯に属しているか否かを判別する判別手段をさらに備え、
前記案内手段は、
現在時刻が前記定められた時間帯に属していると前記判別手段により判別した場合に前記エレベータを案内する
ことを特徴とする請求項１に記載の昇降機システム。
【請求項１３】
エレベータ乗場や他の交通手段の乗場とは異なる箇所で行先階の入力を受け付ける入力手段と、
前記入力手段による入力を行なった乗客が前記エレベータを用いて前記行先階まで移動すると仮定した場合の当該乗客の前記行先階までの移動所要時間を算出する第１の算出手段と、
前記乗客が前記他の交通手段を用いて前記行先階まで移動すると仮定した場合の当該乗客の前記行先階までの移動所要時間を算出する第２の算出手段と、
前記第１の算出手段により算出した移動所要時間および前記第２の算出手段により算出した移動所要時間を表示する表示手段と、
前記表示された移動所要時間に関わる交通手段のうち利用する交通手段の選択入力を受け付ける選択入力手段と、
前記選択入力手段により選択入力された交通手段に関わる案内表示を行なう案内手段と
を備えたことを特徴とする昇降機システム。
【請求項１４】
建物における行先階となりうる階床のそれぞれについて、乗客がエレベータを用いて当該階床まで移動すると仮定した場合の当該階床までの乗客の移動所要時間を算出する第１の算出手段と、
前記行先階となりうる階床のそれぞれについて、前記乗客が他の交通手段を用いて当該階床まで移動すると仮定した場合の当該階床までの乗客の移動所要時間を算出する第２の算出手段と、
前記第１および第２の算出手段による算出結果をもとに、前記エレベータおよび前記他の交通手段のうち前記階床までの前記乗客の移動のための利用に適切な交通手段を階床毎に区分して前記乗客に案内する案内手段と
を備えたことを特徴とする昇降機システム。
【発明の詳細な説明】
【技術分野】
【０００１】
本発明は、エレベータが設置される建物内において乗客に行先階床までの交通手段を案内する昇降機システムに関する。
【背景技術】
【０００２】
従来、建物内、例えばデパートや大規模量販店等では、各階床への交通手段として、エレベータの他にエスカレータ、つまりマンコンベアが設置される場合がある。
【０００３】
このような場合で、建物内の乗客が現在のフロアから別の階床に移動したい場合には、乗客は移動先である行先階までエレベータやエスカレータの何れかを用いて移動する事になる。
【０００４】
ここで、エスカレータではフロア間の昇降所要時間は一定だが、昇降速度はエレベータより遅い。一方、エレベータの乗りかごの昇降速度はエスカレータより速いためエレベータのフロア間の昇降所要時間の期待値はエスカレータより短い。しかし、乗りかごが乗客のいるフロアに到着するまでの時間、および当該フロアに乗りかごが到着してから行先階までの昇降に要する時間は、かご位置や呼び登録の状況等によりばらつきが生じ、フロア間の昇降所要時間がエスカレータより遅くなることがある。このため、乗客は現在いるフロアから行先階への移動のためにエスカレータおよびエレベータの何れを利用すべきか悩むことになる。
【０００５】
エレベータおよび建物内の他の交通手段のいずれかの利用を乗客に通知する方法として、例えば特許文献１に開示されるように、エレベータのホール呼びが登録された場合に、エレベータ以外の交通手段による移動時間およびエレベータの割当てかごの到着予測時間を計算し、エレベータを利用するより他の交通手段を用いた方が行先階に早く到着すると判断した場合に乗りかごの割当てを保留し、この保留中は乗客にその状態または階段やエスカレータの利用を促す案内を行うものがある。
【０００６】
また、例えば特許文献２に開示されるように、登録されたホール呼びおよびホール呼びが登録されていないホールの仮想的なホール呼びのそれぞれに対して乗りかごが応答するまでの予想到着時間を計算し、この予想到着時間に基づいてホール呼びが登録されていないホールの表示装置に混雑度を表示し、ホール呼びが登録されているホールの表示装置には予想到着時間をランタン表示するものがある。
【特許文献１】特開平８−２１７３４１号公報
【特許文献２】特開２０００−２２６１６６号公報
【発明の開示】
【発明が解決しようとする課題】
【０００７】
前述した特許文献１に開示されたような方法は、始めに乗客によりエレベータのホール呼びを登録する必要があり、乗客はエレベータの実際の利用の有無に関わらずエレベータホールに行かなければならない。よって、乗客は、乗りかごの割り当てが保留されて階段やエスカレータの利用を促された場合にはホール呼びが無駄に登録される事になるだけでなく、当該エレベータホールから階段やエスカレータまで再度移動しなければならなくなる。
【０００８】
また、前述した特許文献２に開示されたような方法では、乗りかごの予測到着時間しか計算しておらず、他の交通手段の所要時間は計算していないので、乗客はエレベータを利用すべきか他の交通手段を利用すべきかを判断しにくい。
【０００９】
そこで、本発明の目的は、乗客がエレベータおよび建物内の他の交通手段のうちいずれを利用して行先階に移動すべきかを容易に把握し、かつ行先階までの乗客の移動の効率を向上させることが可能になる昇降機システムを提供することにある。
【課題を解決するための手段】
【００１０】
すなわち、本発明に係わる昇降機システムは、エレベータ乗場や他の交通手段の乗場とは異なる箇所において行先階の入力を受け付ける入力手段と、この入力を行なった乗客がエレベータを用いて行先階まで移動すると仮定した場合の当該乗客の行先階までの移動所要時間を算出する第１の算出手段と、乗客が他の交通手段を用いて行先階まで移動すると仮定した場合の当該乗客の行先階までの移動所要時間を算出する第２の算出手段とを備え、第１および第２の算出手段による算出結果をもとに、エレベータおよび他の交通手段のうち乗客の行先階までの移動のための利用に適切な交通手段を乗客に案内することを特徴とする。
【発明の効果】
【００１１】
本発明によれば、乗客がエレベータおよび建物内の他の交通手段のうちいずれを利用して行先階に移動すべきかを容易に把握し、かつ行先階までの乗客の移動の効率を向上させることができる。
【発明を実施するための最良の形態】
【００１２】
以下図面により本発明の実施形態について説明する。  
（第１の実施形態）
まず、本発明の第１の実施形態について説明する。  
図１は、本発明の第１の実施形態における昇降機システムの構成例を示す図である。  
本実施形態における昇降機システムの建物は地上１０階から地下１階までのフロアでなる百貨店ビルである。この建物内にはエレベータおよびエスカレータが備えられる。
【００１３】
図１に示すように、本実施形態における昇降機システムは建物内交通案内機能を有する昇降機システムであり、エレベータの行先階登録を行なうための入力装置１、案内表示装置３、経路案内表示灯４を備える。入力装置１および案内表示装置３は、建物の玄関階である１階を含む各フロアの特定の箇所において隣接して設置される。
【００１４】
図２は、本発明の第１の実施形態における昇降機システムの入力装置の外観の一例を示す図である。  
図２に示すように、各階床の入力装置１は、行先階入力釦１１、決定釦１２およびクリア釦１３を備える。行先階入力釦１１はテンキーおよび「Ｂ」と表記された釦でなり、行先階の階床の入力を受け付ける。「Ｂ」と表記された釦は、地下の階床を入力する場合に操作する釦である。たとえば、地下１階を階床として入力する場合には、行先階入力釦１１の「Ｂ」と表記された釦を操作した上で、テンキーのうち「１」と表記された釦を操作すればよい。「Ｂ」と表記された釦は「地下」と表記された釦であってもよい。
【００１５】
また、決定釦１２は、行先階入力釦１１により入力された階床を行先階登録の階床として決定する旨の入力を受け付ける。クリア釦１３は、行先階入力釦１１による階床の入力後、決定釦１２の入力前に操作することで、行先階入力釦１１により入力された階床がクリアされる。これにより、行先階入力釦１１による入力間違いを正すことができる。
【００１６】
また、行先階入力釦１１はテンキーに限らず、１階床を１つの釦とする、つまり階床ごとに操作対象の釦を独立させる方式であってもよい。
【００１７】
また、案内表示装置３は例えば液晶ディスプレイであり、入力装置１による行先階入力を求めるメッセージを表示したり、エレベータやエスカレータのうち行先階までの利用に適した交通手段の通知メッセージを表示したり、当該交通手段の乗場までの経路の案内マップ情報を表示したりする。
【００１８】
図３は、本発明の第１の実施形態における昇降機システムの設置建物の玄関口、エレベータ乗場およびエスカレータ乗場の位置関係の一例を示す図である。  
また、経路案内表示灯４は、図３に示すように、前述した各フロアの入力装置１や案内表示装置３の設置箇所から同一フロアのエレベータの各号機の乗場のそれぞれまでの経路の床部分、および前述した設置箇所からエスカレータ乗場３３までの経路の床部分に設けられる表示灯である。
【００１９】
図３に示した例では、玄関階フロア３０の玄関口３１の側に入力装置１および案内表示装置３が設けられ、当該玄関口３１、エレベータ乗場３２、およびエスカレータ乗場３３は互いに離れた箇所に設けられており、乗客は、それぞれの箇所の間を店舗エリア３４で隔てられた通路３５を介して徒歩で移動できるようになっている。  
図１に示すように、建物内には複数台のエレベータが設置される。図１には２台のエレベータについて図示しているが、この台数は限定されるものではない。
【００２０】
また、建物内には、エレベータの複数台の号機の群管理制御を行う群管理制御装置２と各々の号機の乗りかご６の昇降を個別に制御するかご制御装置５とが備えられる。  
また、図示はしないが、各号機の乗りかご６は当該乗りかご６に対応して設けられるシーブに巻き掛けられたロープを介してカウンタウェイトと連結されており、自号機のかご制御装置５からの制御にしたがった巻上機の駆動によるシーブの回転に伴い、カウンタウェイトとともに互いに上下反対方向に昇降する。
【００２１】
また、群管理制御装置２は、割り当て制御部２１、記憶装置２２、エレベータ所要時間算出部２３、エスカレータ所要時間算出部２４、所要時間比較部２５および案内処理部２６を備える。  
割り当て制御部２１は、図示しないホール呼び釦やかご呼び釦により新規に入力された呼びに対し、各号機の状態情報、つまりかご制御装置５からのかご位置情報や既登録かご呼び情報等に基づいて各号機の評価値を算出し、評価値が最も良好な号機のかご制御装置５に対し割当指令を出力する。
【００２２】
記憶装置２２は、不揮発性メモリなどの記憶媒体であり、割り当て制御部２１、エレベータ所要時間算出部２３、エスカレータ所要時間算出部２４、所要時間比較部２５、案内処理部２６といった各部による処理動作のためのプログラムを記憶する。
【００２３】
エレベータ所要時間算出部２３は、入力装置１により行先階が入力された場合に、乗客が行先階までエレベータを用いて移動すると仮定した場合の、行先階到着までの所要時間を算出する。
【００２４】
エスカレータ所要時間算出部２４は、入力装置１により行先階が入力された場合に、乗客が行先階までエスカレータを用いて移動すると仮定した場合の、行先階到着までの所要時間を算出する。
【００２５】
所要時間比較部２５は、エレベータ所要時間算出部２３およびエスカレータ所要時間算出部２４による算出結果を比較する。案内処理部２６は、所要時間比較部２５による比較結果をもとに、乗客に案内するのに適した交通手段を判定し、当該交通手段の利用を勧める旨のメッセージを案内表示装置３に表示させる。
【００２６】
次に、図１に示した構成の昇降機システムの動作について説明する。図４は、本発明の第１の実施形態における昇降機システムの処理動作の一例を示すフローチャートである。この実施形態では、玄関階フロア３０の玄関口３１に設けられた入力装置１および案内表示装置３を用いた場合の処理を説明するが、他のフロアに設けられる入力装置１および案内表示装置３を用いた場合の処理も同様である。
【００２７】
図５は、本発明の第１の実施形態における昇降機システムの案内表示装置に表示される行先階入力画面の一例を示す図である。  
まず、初期状態では、案内表示装置３に図５に示した行先階入力画面が表示されている。乗客が当該画面にしたがって入力装置１の行先階入力釦１１を操作して行先階を入力して決定釦１２を操作すると（ステップＳ１）、操作された入力装置１の設置階床および行先階を示す信号が群管理制御装置２に出力される。
【００２８】
群管理制御装置２の割り当て制御部２１は、入力装置１からの信号を入力すると、エレベータ所要時間算出部２３は、操作元の入力装置１の設置位置から同一フロアのエレベータ乗場３２までの徒歩移動に要する時間を記憶装置２２から読み出すことで取得する（ステップＳ２）。
【００２９】
次に、割り当て制御部２１は、乗客がエレベータを利用して前述した設置階床から行先階へ移動する、つまり信号出力元の入力装置１の設置階にて行先階登録がなされたと仮定して各号機の評価値を算出し、入力装置１の設置階へ応答させるのに最も適切な号機である仮想割り当て号機を選択する（ステップＳ３）。  
設置階へ応答させるのに最も適切な号機としては、なるべく早く応答して、かつ乗客が乗場に到着する前に戸閉しない号機が挙げられる。
【００３０】
そして、エレベータ所要時間算出部２３は、乗客が前述したように選択した号機を利用した場合の行先階までの所要時間であるエレベータ利用所要時間を算出する。  
このエレベータ所要時間は、乗客が操作元の入力装置１の設置位置、つまり玄関階フロア３０の玄関口３１から同フロアのエレベータ乗場３２までの徒歩移動に要する時間の予測値、乗客がエレベータ乗場３２に到着してからステップＳ３の処理で選択された選択号機が応答するまでの時間の予測値である到着所要時間、および選択号機が応答してから行先階へ到着するまでの時間の予測値である出発後所要時間の和である。各フロアの入力装置１の設置位置から同一フロアのエレベータ乗場３２までの徒歩移動に要する時間の予測値は記憶装置２２に記憶されている。
【００３１】
そして、エレベータ所要時間算出部２３は、乗客がエレベータ乗場３２に到着してから前述した選択号機が玄関階に到着するまでの到着所要時間を、選択号機のかご位置および既登録の呼び登録情報などをもとに算出する（ステップＳ４）。  
また、エレベータ所要時間算出部２３は、選択号機が玄関階に到着してから行先階へ応答するまでの出発後所要時間を、行先階の情報および既登録の呼び登録情報などをもとに算出し（ステップＳ５）、ステップＳ３，Ｓ４，Ｓ５の処理でそれぞれ求めた時間の和であるエレベータ利用所要時間を算出する（ステップＳ６）。
【００３２】
また、ステップＳ４の処理を省略して、ステップＳ３の処理において、乗客がエレベータ乗場３２に到着してから前述した選択号機が玄関階に到着するまでの到着所要時間を、選択号機のかご位置および既登録の呼び登録情報などをもとに割り当て制御部２１により算出して、これを記憶装置２２に保持しておき、ステップＳ６の処理において、前述したように保持した到着所要時間の情報を取り出してエレベータ利用所要時間を算出するようにしてもよい。
【００３３】
次に、エスカレータ所要時間算出部２４は、乗客がエレベータではなくエスカレータを利用した場合の行先階までの所要時間であるエスカレータ利用所要時間を算出する。このエスカレータ利用所要時間は、乗客が操作元の入力装置１の設置位置である玄関口３１から同フロアのエスカレータ乗場３３までの徒歩移動に要する時間の予測値、および乗客がエスカレータ乗場３３に到着してからエスカレータに乗って行先階へ到着するまでの時間の予測値である乗車所要時間の和である。
【００３４】
各フロアの入力装置１の設置位置からエスカレータ乗場３３までの徒歩移動に要する時間の予測値は記憶装置２２に記憶される。エスカレータ所要時間算出部２４は、操作元の入力装置１の設置階床である玄関階フロア３０の玄関口３１からエスカレータ乗場３３までの徒歩移動に要する時間を記憶装置２２から読み出すことで取得する（ステップＳ７）。
【００３５】
エスカレータの各フロア間の走行所要時間情報は記憶装置２２に記憶されており、エスカレータ所要時間算出部２４は、乗客がエレベータ乗場３２に到着してからエスカレータに乗って行先階へ応答するまでの出発後所要時間を記憶装置２２に記憶される走行所要時間情報をもとに算出し（ステップＳ８）、ステップＳ７，Ｓ８の処理でそれぞれ求めた時間の和であるエスカレータ利用所要時間を算出する（ステップＳ９）。
【００３６】
所要時間比較部２５は、エレベータ所要時間算出部２３がステップＳ６の処理で算出したエレベータ利用所要時間およびエスカレータ所要時間算出部２４がステップＳ９の処理で算出したエスカレータ利用所要時間を比較する（ステップＳ１０）。
【００３７】
案内処理部２６は、所要時間比較部２５による比較結果をもとに、乗客への案内対象の交通手段をエレベータおよびエスカレータの中から判定する。この処理の具体例としては、案内処理部２６は、所要時間比較部２５による比較の結果、エレベータ利用所要時間がエスカレータ利用所要時間以下であれば、エレベータを案内対象の交通手段と判定し、エレベータ利用所要時間がエスカレータ利用所要時間を越えていれば、エスカレータを案内対象の交通手段と判定する。
【００３８】
案内処理部２６は、案内対象として判定した交通手段がエレベータである場合には（ステップＳ１１のＹＥＳ）、このエレベータの利用のための案内メッセージを操作元の入力装置１に隣接する案内表示装置３に表示させるとともに（ステップＳ１２）、乗客の現在位置、つまり操作元の入力装置１の設置位置から案内対象として判定済みであるエレベータの乗場までの経路を案内するための案内マップ情報を操作元の入力装置１に隣接する案内表示装置３に表示させ、前述した現在位置から判定済みの交通手段であるエレベータの乗場３２までの通路３５の床に設置される経路案内表示灯４のうち、案内先の割り当て号機である仮想割り当て号機の乗場３２までの経路に対応する経路案内表示灯４を点灯させる（ステップＳ１３）。
【００３９】
次に、群管理制御装置２は、操作元の入力装置１の設置階床のホール呼び登録および行先階まで運転するための呼びである行先呼び登録を行なう（ステップＳ１４）。このホール呼びにより、前述した仮想割り当て号機が実際の割り当て号機として応答する。
【００４０】
一方、案内処理部２６は、案内対象として判定した交通手段がエスカレータである場合には（ステップＳ１１のＮＯ）、このエスカレータの利用のための案内メッセージを操作元の入力装置１に隣接する案内表示装置３に表示させるとともに（ステップＳ１５）、乗客の現在位置、つまり操作元の入力装置１の設置位置から案内対象として判定済みの交通手段であるエスカレータの乗場３３までの経路を案内するための案内マップ情報を操作元の入力装置１に隣接する案内表示装置３に表示させ、前述した現在位置からエスカレータの乗場３３までの通路３５の床に設置される経路案内表示灯４を点灯させる（ステップＳ１６）。
【００４１】
図６は、本発明の第１の実施形態における昇降機システムの案内表示装置に表示される建物内交通案内画面の第１の例を示す図である。図７は、本発明の第１の実施形態における昇降機システムの案内表示装置に表示される建物内交通案内画面の第２の例を示す図である。  
図６に示した画面は、乗客への案内対象として判定された交通手段がエレベータである場合の建物内交通案内画面であり、乗客の現在位置からエレベータ乗場３２までの案内マップ、エレベータの利用のための案内メッセージ、行先階、エレベータの割り当て号機名があわせて表示される。また、図７に示した画面は、乗客への案内対象として判定された交通手段がエスカレータである場合の建物内交通案内画面であり、現在位置からエスカレータ乗場３３までの案内マップ、エスカレータの利用のための案内メッセージ、および行先階があわせて表示される。
【００４２】
案内処理部２６は、建物内交通案内画面の表示後の一定時間、例えば２０秒が経過した場合には、乗客が案内画面を確認して乗場へ向かったとみなし、案内表示装置３の画面を初期状態の画面である行先階入力画面に戻す。これにより別の乗客が入力装置１への行先階入力を行なうことができる。
【００４３】
また、案内処理部２６は、建物内交通案内画面の表示後の所定タイミング、例えば建物内交通案内画面の表示後２０秒が経過した上で５秒経過する毎に、前述したように点灯済みの経路案内表示灯４を案内表示装置３の設置箇所から案内先の乗場に向かって一つずつ消灯させる。これにより、別の乗客が入力装置１を用いて行先階入力を行なった場合の案内先の誤認を防止できる。
【００４４】
ただし、別の乗客が入力装置１への行先階入力を行った結果、同じ交通手段が案内対象として判定された場合には、案内表示装置３の設置箇所から乗場までの経路案内表示灯４を再び点灯させる。
【００４５】
以上のように、本発明の第１の実施形態における昇降機システムでは、フロア内のエレベータやエスカレータの乗場から離れた箇所で行先階が入力された場合に、エレベータやエスカレータのうち当該入力箇所から行先階への移動に利用に適した交通手段を案内する。これにより入力装置１を操作した乗客は、行先階までの利用に適した交通手段を容易に把握することができる。また、乗客は、案内された交通手段の乗場まで現在位置から直接向かうことができるので、実際に利用する交通手段の乗場までの移動距離を短くすることができる。よって、乗客の行先階までの移動の効率を向上させることができるので、時間を有効に活用できるようになる。また、建物の上層階への交通利便性が向上するので、上層階の資産価値が向上する。
【００４６】
（第２の実施形態）
次に、本発明の第２の実施形態について説明する。なお、以下の各実施形態に係る昇降機システムの構成のうち図１に示したものと同一部分の説明は省略する。  
図８は、本発明の第２の実施形態における昇降機システムの構成例を示す図である。  
本発明の第２の実施形態における昇降機システムは、第１の実施形態と比較して、群管理制御装置２が所要時間比較部２５を備えない一方で案内対象認識部２７および所要時間通知処理部２８をさらに備える。
【００４７】
この実施形態では、群管理制御装置２は、行先階が入力された場合に、各交通手段のそれぞれを利用したと仮定した場合の行先階までの移動所要時間を表示し、この移動所要時間を乗客に案内することで、行先階までの移動に利用する交通手段の選択を当該乗客にゆだねる。
【００４８】
図９は、本発明の第２の実施形態における昇降機システムの入力装置の外観の一例を示す図である。  
本発明の第２の実施形態における入力装置１は、第１の実施形態と比較して選択釦１４をさらに備える。選択釦１４は、行先階までの移動に利用する交通手段の選択にかかる入力を受け付ける。
【００４９】
図１０は、本発明の第２の実施形態における昇降機システムの処理動作の一例を示すフローチャートである。  
この実施形態では、第１の実施形態で説明したステップＳ１からＳ９の処理がなされた後、所要時間通知処理部２８は、エレベータ所要時間算出部２３がステップＳ６の処理で算出したエレベータ利用所要時間、エスカレータ所要時間算出部２４がステップＳ９の処理で算出したエスカレータ利用所要時間、行先階の表示、および行先階までの交通手段の選択を求める画面である交通手段選択画面を案内表示装置３に表示させる（ステップＳ２１）。  
図１１は、本発明の第２の実施形態における昇降機システムの案内表示装置に表示される交通手段選択画面の一例を示す図である。
【００５０】
交通手段選択画面にしたがって入力装置１の選択釦１４の操作を行うことで、行先階までの交通手段の表示をエレベータとエスカレータの間で選択することができる。乗客は、所望の交通手段の名称が交通手段選択画面に表示された際に決定釦１２を操作すると（ステップＳ２２）、群管理制御装置２の案内対象認識部２７は、決定釦１２が操作された際に交通手段選択画面に表示された交通手段を乗客が選択した交通手段の種別として認識する（ステップＳ２３）。
【００５１】
案内処理部２６は、案内対象として認識した交通手段がエレベータである場合には（ステップＳ２４のＹＥＳ）、このエレベータの利用のための案内メッセージを操作元の入力装置１に隣接する案内表示装置３に表示させるとともに（ステップＳ２５）、乗客の現在位置から案内対象として認識済みの交通手段であるエレベータの乗場３２までの経路を案内するための案内マップ情報を操作元の入力装置１に隣接する案内表示装置３に表示させ、前述した現在位置から判定済みのエレベータの乗場までの通路３５の床に設置される経路案内表示灯４を点灯させる（ステップＳ２６）。ステップＳ２６の処理後はステップＳ１４の処理がなされる。
【００５２】
一方、案内処理部２６は、案内対象として認識した交通手段がエスカレータである場合には（ステップＳ２４のＮＯ）、このエスカレータの利用のための案内メッセージを操作元の入力装置１に隣接する案内表示装置３に表示させるとともに（ステップＳ２７）、乗客の現在位置から案内対象として認識済みの交通手段であるエスカレータの乗場３３までの経路を案内するための案内マップ情報を操作元の入力装置１に隣接する案内表示装置３に表示させ、前述した現在位置からエスカレータの乗場３３までの通路３５の床に設置される経路案内表示灯４を点灯させる（ステップＳ２８）。  
図１２は、本発明の第２の実施形態における昇降機システムの案内表示装置に表示される建物内交通案内画面の一例を示す図である。
【００５３】
以上のように、本発明の第２の実施形態における昇降機システムでは、フロア内のエレベータやエスカレータの乗場から離れた箇所で行先階が入力された場合に、エレベータやエスカレータのそれぞれを用いた場合の行先階への所要時間を通知して、この通知にしたがって乗客から選択された交通手段の案内を行なう。これにより、エレベータを利用した場合の行先階までの移動所要時間およびエスカレータを利用した場合の行先階までの移動所要時間に殆ど差がない場合に、乗客は、移動所要時間の差の程度を考慮して所望の交通手段を選択することができる。
【００５４】
（第３の実施形態）
次に、本発明の第３の実施形態について説明する。  
図１３は、本発明の第３の実施形態における昇降機システムの構成例を示す図である。  
本発明の第３の実施形態における昇降機システムは、第１の実施形態で説明した構成と比較して、群管理制御装置２はエレベータ乗車可否判別部４１をさらに備える。また、入力装置１の外観は図９に示した外観となる。また、各号機の乗りかご６は、かご内の荷重を検出するための荷重検出装置４２を備える。荷重検出装置４２により検出された荷重を示す荷重信号は図示しないテールコードおよび自号機のかご制御装置５を介して群管理制御装置２に出力される。
【００５５】
図１４は、本発明の第３の実施形態における昇降機システムの処理動作の一例を示すフローチャートである。図１５は、本発明の第３の実施形態における昇降機システムの案内表示装置に表示される入力画面の一例を示す図である。  
この実施形態では、まず、初期状態では、案内表示装置３に図１５に示した入力画面が表示されている。玄関口３１を訪れた集団のうちの一人の乗客が当該画面にしたがって入力装置１の行先階入力釦１１、決定釦１２および選択釦１４を操作して行先階および当該行先階まで移動する乗客の人数である乗車人数を入力すると（ステップＳ３１）、操作された入力装置１の設置階床、行先階および乗車人数を示す信号が群管理制御装置２に出力される。
【００５６】
そして、ステップＳ２の処理であるエレベータ乗場までの移動所要時間の取得、およびステップＳ３の処理である割り当て制御部２１による仮想割り当て号機の選択がなされた後、エレベータ乗車可否判別部４１は、選択された号機の荷重検出装置４２からの荷重信号、停止予定階、つまり選択された号機の行先呼びがある階での降車人数および選択された号機の乗場呼びがある階での乗車人数をもとに、これから乗車可能な荷重を計算することで、選択号機の乗りかご５に、ステップＳ３１の処理による出力信号で示される人数の乗客が乗車できるか否かを判別する（ステップＳ３２）。
【００５７】
ただし、この判別において、停止予定階のうち基準階では所定の複数人数、その他の階では一人が行先呼びで降車して乗場呼びで乗車するものとする。  
また、この判別においては、既に入力装置１で呼びが登録された、まだ乗車していない利用者の行先階と同じ行先階が新たに入力された場合、既に呼びを登録した利用者分の荷重を、これから乗車可能な荷重から差し引く。
【００５８】
入力装置１で入力された人数の乗客が乗車できるとエレベータ乗車可否判別部４１が判別した場合には（ステップＳ３３のＹＥＳ）、第１の実施形態で説明したステップＳ４以降の処理がなされる。
【００５９】
一方、入力装置１で入力された人数の乗客が乗車できないとエレベータ乗車可否判別部４１が判別した場合には、他の号機の乗りかご５を新たに選択し、エレベータ乗車可否判別部４１により、当該号機の荷重検出装置４２からの荷重信号、当該号機の行先呼びがある階での降車人数、当該号機の乗場呼びがある階での乗車人数をもとに、ステップＳ３１の処理による出力信号で示される人数の乗客が乗車できるか否かを判別し、乗車できると判別した場合にはステップＳ４以降の処理がなされる。
【００６０】
また、全ての号機について乗車できないとエレベータ乗車可否判別部４１が判別した場合は（ステップＳ３３のＮＯ）、案内処理部２６は、エレベータを行先階までの交通手段として案内できないとみなし、現在位置からエスカレータ乗場３３までの案内マップ、エスカレータの利用のための案内メッセージおよび行先階を示す建物内交通案内画面を案内表示装置３に表示させる（ステップＳ３４）。
【００６１】
以上のように、本発明の第３の実施形態における昇降機システムでは、第１の実施形態で説明した特徴に加え、入力装置１により入力された乗客人数をもとに、エレベータを行先階までの案内対象の交通手段とすることが出来るか否かを判別し、エレベータを案内対象の交通手段とすることが出来ないと判別した場合にはエスカレータを行先階までの案内対象とする。よって、乗客の人数が多い場合のエレベータでの積み残しを未然に防止できるので、乗客の利便性および輸送効率を向上させることができる。
【００６２】
（第４の実施形態）
次に、本発明の第４の実施形態について説明する。  
図１６は、本発明の第４の実施形態における昇降機システムの構成例を示す図である。  
本発明の第４の実施形態における昇降機システムは、第１の実施形態と比較して、エレベータ優先有無判別部５１をさらに備える。  
エレベータ優先有無判別部５１は、乗客の中にエレベータ希望の乗客がいるか否かを入力装置１への操作内容をもとに判別する。エレベータ希望の乗客とは、ベビーカーに乗った幼児や車椅子利用者などの、エスカレータの利用が困難でエレベータの利用を希望する乗客を指す。
【００６３】
図１７は、本発明の第４の実施形態における昇降機システムの処理動作の一例を示すフローチャートである。  
本発明の第４の実施形態では、まず、ステップＳ１の処理である行先階入力がなされたら、エレベータ優先有無判別部５１は、玄関口３１にいる乗客の中に、エレベータ希望乗客がいるか否かを乗客に問うための乗客種別問い合わせ画面を案内表示装置３に表示させる。
【００６４】
図１８は、本発明の第４の実施形態における昇降機システムの案内表示装置に表示される乗客種別問い合わせ画面の一例を示す図である。  
入力装置１により行先階の入力を行なった乗客は、図１８に示したような乗客種別問い合わせ画面にしたがって、自身もしくは玄関口３１にいる連れの乗客がベビーカーに乗った幼児や車椅子利用者であったりする場合には、入力装置１の選択釦１４を操作して乗客種別問い合わせ画面上のカーソルを「はい」に移動させて決定釦１２を操作することになる。これらの操作によりエレベータ希望乗客の有無の入力内容が決定されると（ステップＳ４１）、エレベータ優先有無判別部５１は、エレベータ希望乗客がいるか否か、つまりエレベータを優先して案内すべきか否かを判別する（ステップＳ４２）。
【００６５】
ステップＳ４２の処理で「ＮＯ」と判別された場合には、第１の実施形態で説明したステップＳ２以降の処理がなされる。一方、ステップＳ４２の処理で「ＹＥＳ」と判別された場合には、割り当て制御部２１は、エレベータの利用を玄関口３１の乗客に案内するべきとみなして、各号機の評価値を算出し、操作元の入力装置１の設置階へ応答させるのに最も適切な号機である割り当て号機を選択する（ステップＳ４３）。
【００６６】
そして、案内処理部２６は、現在位置からエレベータ乗場３２までの案内マップ情報、エレベータの利用のための案内メッセージ、行先階、および割り当て号機名を示す建物内交通案内画面を案内表示装置３に表示させる（ステップＳ４４）。そして、ステップＳ１４の処理と同じ処理であるホール呼び登録および行先呼び登録がなされる（ステップＳ４５）。
【００６７】
図１９は、本発明の第４の実施形態における昇降機システムの案内表示装置に表示される建物内交通案内画面の一例を示す図である。  
以上のように、本発明の第３の実施形態における昇降機システムでは、第１の実施形態で説明した特徴に加え、入力装置１により行先階が入力された場合に、ベビーカーに乗った幼児や車椅子乗客など、エレベータの利用が必要な乗客がいると判別した場合に、所要時間に関わらずエレベータ利用のための案内を行なうので、乗客に応じた適切な案内を行なうことができる。
【００６８】
（第５の実施形態）
次に、本発明の第５の実施形態について説明する。  
図２０は、本発明の第５の実施形態における昇降機システムの構成例を示す図である。  
この実施形態では、建物内の各フロアのうち一部のフロアの営業終了時刻を過ぎたために当該フロア自体が閉鎖されてエスカレータの運転が停止した場合にエレベータの案内を行なう。
【００６９】
本発明の第５の実施形態における昇降機システムは、第１の実施形態と比較して、現在時刻を計時する計時部６１、案内可否判別部６２およびエスカレータ利用可否判別部６３をさらに備える。
【００７０】
図２１は、本発明の第５の実施形態における昇降機システムの群管理制御装置に記憶される営業時間テーブルの構成例を表形式で示す図である。  
記憶装置２２には、図２１に示した形式の営業時間テーブルが記憶される。この営業時間テーブルでは、各フロアの階床名および当該階床の店舗の営業時間が関連付けて管理される。
【００７１】
図２２は、本発明の第５の実施形態における昇降機システムの処理動作の一例を示すフローチャートである。  
本発明の第４の実施形態では、まず、ステップＳ１の処理である行先階入力がなされたら、案内可否判別部６２は、入力された行先階に対応する営業時間を記憶装置２２に記憶される営業時間テーブルから読み出し（ステップＳ５１）、当該営業時間と計時部６１により計時された現在時刻とを照合することで、現在時刻が所定時間内、ここでは入力済み行先階のフロアの営業終了時刻の一定時間前であるか否かを判別する（ステップＳ５２）。
【００７２】
案内可否判別部６２は、ステップＳ５２の処理で「ＮＯ」と判別した場合には、入力済みの行先階に乗客が到着した時点で当該行先階のフロアの営業が終了しているとして、行先階の再入力、つまり別の行先階の入力を求めるための行先階再入力画面を案内表示装置３に表示させる（ステップＳ５３→Ｓ１）。  
図２３は、本発明の第５の実施形態における昇降機システムの案内表示装置に表示される行先階再入力画面の一例を示す図である。
【００７３】
一方、案内可否判別部６２は、ステップＳ５２の処理で「ＹＥＳ」と判別した場合には、途中階、つまり操作元の入力装置１の設置階床から行先階の間の階床の営業が終了したか否かを計時部６１により計時された現在時刻と記憶装置２２に記憶される営業時間テーブルを照合することで判別する（ステップＳ５４）。
【００７４】
本実施形態では、各フロアのうち一部のフロアの営業時間外となった場合には、営業終了したフロアを含む全フロア間のエスカレータの運転が停止して乗車出来ないようになっている。
【００７５】
案内可否判別部６２がステップＳ５４の処理で「ＮＯ」と判別した場合には、第１の実施形態で説明したステップＳ２以降の処理がなされる。一方、案内可否判別部６２がステップＳ５４の処理で「ＹＥＳ」と判別した場合には、エスカレータの利用ができないとして、割り当て制御部２１は、各号機の評価値を算出し、入力装置１の設置階へ応答させるのに最も適切な号機である割り当て号機を選択する（ステップＳ５５）。
【００７６】
そして、案内処理部２６は、現在位置からエレベータ乗場３２までの案内マップ情報、エスカレータの運転が終了したことに伴うエレベータの利用のための案内メッセージ、行先階、および割り当て号機名を示す建物内交通案内画面を案内表示装置３に表示させる（ステップＳ５６）。そして、ステップＳ１４の処理と同じ処理であるホール呼び登録および行先呼び登録がなされる（ステップＳ５７）。  
図２４は、本発明の第５の実施形態における昇降機システムの案内表示装置に表示される建物内交通案内画面の一例を示す図である。
【００７７】
以上のように、本発明の第５の実施形態における昇降機システムでは、第１の実施形態で説明した特徴に加え、入力装置１により行先階が入力された場合に、途中階の営業が終了したためにエスカレータの運転が停止した場合に所要時間に関わらずエレベータ利用のための案内を行なうので、エスカレータの利用が出来ない場合の適切な案内を行なうことができる。
【００７８】
（第６の実施形態）
次に、本発明の第６の実施形態について説明する。本実施形態における昇降機システムの構成は第１の実施形態と同様である。ただし、入力装置１は備えない。  
第１乃至第５の実施形態では、入力装置１により行先階が入力された場合に、当該行先階への移動のためのエレベータまたはエスカレータの利用について案内したが、第６の実施形態では、案内表示装置３を用い、当該案内表示装置の設置フロア以外で行先階となりうる各フロアのそれぞれへの移動のための交通手段としてエレベータまたはエスカレータのいずれが適しているかをフロア毎に区分して案内する。
【００７９】
図２５は、本発明の第６の実施形態における昇降機システムの処理動作の一例を示すフローチャートである。  
本実施形態において、まず、群管理制御装置２の案内処理部２６は、出発階と行先階の組み合わせを選択する（ステップＳ６１）。そして、当該出発階と行先階についてのステップＳ２からＳ１０までの処理がなされる。
【００８０】
そして案内処理部２６は、所要時間比較部２５による比較結果をもとに、乗客への案内対象の交通手段をエレベータおよびエスカレータの中から判定し、案内対象として判定された交通手段がエレベータである場合（ステップＳ６２のＹＥＳ）、このエレベータの表記をステップＳ６１の処理で選択した出発階の案内表示装置３の表示領域における同じく選択した行先階への利用に適する表示領域に表示させる（ステップＳ６３）。
【００８１】
そして、案内処理部２６は、乗客の現在位置からエレベータ乗場３２までの経路を案内するための各フロアの案内マップ情報が各フロアのそれぞれの案内表示装置３にまだ表示されていない場合には、これを表示させる（ステップＳ６４）。既に表示されている場合にはステップＳ６４の処理は省略となる。
【００８２】
そして案内処理部２６は、案内対象として判定された交通手段がエスカレータである場合（ステップＳ６２のＮＯ）、このエスカレータの表記をステップＳ６１の処理で選択した出発階の案内表示装置３の表示領域における同じく選択した行先階への利用に適する表示領域に表示させる（ステップＳ６５）。
【００８３】
そして、案内処理部２６は、乗客の現在位置からエスカレータ乗場３３までの経路を案内するための各フロアの案内マップ情報が各フロアのそれぞれの案内表示装置３にまだ表示されていない場合には、これを表示させる（ステップＳ６６）。既に表示されている場合にはステップＳ６６の処理は省略となる。
【００８４】
ステップＳ６４またはステップＳ６６の処理後、案内処理部２６は、出発階と行先階の組み合わせのうち、行先階への案内対象の交通手段を一定時間以上判定していない組み合わせがある場合には（ステップＳ６７のＹＥＳ）、ステップＳ６１の処理に戻る。また、ステップＳ６７の処理で「ＮＯ」と判定された場合には処理が終了する。
【００８５】
なお、ステップＳ６４の処理およびステップＳ６６の処理は、ステップＳ６７の処理で「ＹＥＳ」と判別された場合に行なってもよい。  
また、双方の交通手段の経路案内表示を常時行なってもよい。この場合、例えば全ての階床に対してエレベータおよびエスカレータのうち一方の交通手段、例えばエスカレータを案内対象としている場合には、他方の交通手段であるエレベータの経路案内表示を薄い表示形態で表示させるなどして、各交通手段に関する表示に動的な変化を加えればよい。
【００８６】
図２６は、本発明の第６の実施形態における昇降機システムの案内表示装置に表示される建物内交通案内画面の一例を示す図である。図２６に示した画面は１階の玄関口３１の案内表示装置３に表示される建物内交通案内画面であり、１階を除く各フロアのそれぞれについて、行先階までの利用に適する交通手段の種別および各交通手段の乗場までの案内マップ情報が表示されている。
【００８７】
前述した処理を行なうことで、玄関階を含む各フロアの案内表示装置３には、図２６に示したように、自フロア以外の各フロアへの移動に適した交通手段の種別が表示され、逐次更新されるようになる。
【００８８】
また、図２６に示すように、建物内交通案内画面で表示される案内マップ情報におけるエレベータ乗場３２までの経路とエスカレータ乗場３３までの経路の表示形態は異なっており、乗客が違いを視認できるようになっている。
【００８９】
以上のように、本発明の第６の実施形態における昇降機システムでは、各フロアのそれぞれについて、当該フロアへの移動のためにエレベータまたはエスカレータのいずれの利用が適しているかを案内するので、乗客は、行先階の入力操作を行なわなくとも、各フロアへの移動に適した交通手段を容易に把握することができる。
【００９０】
この実施形態では、建物内交通案内画面には、各フロアの数字および当該フロアへの移動に適した画面が表示されるが、各フロアの取扱商品などのフロアに固有の情報をさらに画面表示させてもよい。
【００９１】
また、各実施形態において、建物内のエレベータ以外の交通手段はエスカレータに限らず階段などであってもよい。
【００９２】
また、各フロアの入力装置１の設置位置からエスカレータ乗場３３までの徒歩移動に要する時間の予測値や、各フロアの営業時間といった、記憶装置２２に記憶される設定データは入力装置１による所定の操作により変更できるようにしてもよい。
【００９３】
また、エスカレータ本体と群管理制御装置２を通信線で接続してエスカレータの運行状況を定期的に記憶装置２２に記憶させ、運行していないエスカレータを経由する行先階にはエスカレータを交通手段として利用者に案内しないようにしてもよい。
【００９４】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００９５】
【図１】本発明の第１の実施形態における昇降機システムの構成例を示す図。
【図２】本発明の第１の実施形態における昇降機システムの入力装置の外観の一例を示す図。
【図３】本発明の第１の実施形態における昇降機システムの設置建物の玄関口、エレベータ乗場およびエスカレータ乗場の位置関係の一例を示す図。
【図４】本発明の第１の実施形態における昇降機システムの処理動作の一例を示すフローチャート。
【図５】本発明の第１の実施形態における昇降機システムの案内表示装置に表示される行先階入力画面の一例を示す図。
【図６】本発明の第１の実施形態における昇降機システムの案内表示装置に表示される建物内交通案内画面の第１の例を示す図。
【図７】本発明の第１の実施形態における昇降機システムの案内表示装置に表示される建物内交通案内画面の第２の例を示す図。
【図８】本発明の第２の実施形態における昇降機システムの構成例を示す図。
【図９】本発明の第２の実施形態における昇降機システムの入力装置の外観の一例を示す図。
【図１０】本発明の第２の実施形態における昇降機システムの処理動作の一例を示すフローチャート。
【図１１】本発明の第２の実施形態における昇降機システムの案内表示装置に表示される交通手段選択画面の一例を示す図。
【図１２】本発明の第２の実施形態における昇降機システムの案内表示装置に表示される建物内交通案内画面の一例を示す図。
【図１３】本発明の第３の実施形態における昇降機システムの構成例を示す図。
【図１４】本発明の第３の実施形態における昇降機システムの処理動作の一例を示すフローチャート。
【図１５】本発明の第３の実施形態における昇降機システムの案内表示装置に表示される入力画面の一例を示す図。
【図１６】本発明の第４の実施形態における昇降機システムの構成例を示す図。
【図１７】本発明の第４の実施形態における昇降機システムの処理動作の一例を示すフローチャート。
【図１８】本発明の第４の実施形態における昇降機システムの案内表示装置に表示される乗客種別問い合わせ画面の一例を示す図。
【図１９】本発明の第４の実施形態における昇降機システムの案内表示装置に表示される建物内交通案内画面の一例を示す図。
【図２０】本発明の第５の実施形態における昇降機システムの構成例を示す図。
【図２１】本発明の第５の実施形態における昇降機システムの群管理制御装置に記憶される営業時間テーブルの構成例を表形式で示す図。
【図２２】本発明の第５の実施形態における昇降機システムの処理動作の一例を示すフローチャート。
【図２３】本発明の第５の実施形態における昇降機システムの案内表示装置に表示される行先階再入力画面の一例を示す図。
【図２４】本発明の第５の実施形態における昇降機システムの案内表示装置に表示される建物内交通案内画面の一例を示す図。
【図２５】本発明の第６の実施形態における昇降機システムの処理動作の一例を示すフローチャート。
【図２６】本発明の第６の実施形態における昇降機システムの案内表示装置に表示される建物内交通案内画面の一例を示す図。
【符号の説明】
【００９６】
１…入力装置、２…群管理制御装置、３…案内表示装置、４…経路案内表示灯、５…かご制御装置、６…乗りかご、１１…行先階入力釦、１２…決定釦、１３…クリア釦、１４…選択釦、２１…割り当て制御部、２２…記憶装置、２３…エレベータ所要時間算出部、２４…エスカレータ所要時間算出部、２５…所要時間比較部、２６…案内処理部、２７…案内対象認識部、２８…所要時間通知処理部、３０…玄関階フロア、３１…玄関口、３２…エレベータ乗場、３３…エスカレータ乗場、３４…店舗エリア、３５…通路、４１…エレベータ乗車可否判別部、４２…荷重検出装置、５１…エレベータ優先有無判別部、６１…計時部、６２…案内可否判別部、６３…エスカレータ利用可否判別部。
【図１】
2010070382.tif 000003
【図２】
2010070382.tif 000004
【図３】
2010070382.tif 000005
【図４】
2010070382.tif 000006
【図５】
2010070382.tif 000007
【図６】
2010070382.tif 000008
【図７】
2010070382.tif 000009
【図８】
2010070382.tif 000010
【図９】
2010070382.tif 000011
【図１０】
2010070382.tif 000012
【図１１】
2010070382.tif 000013
【図１２】
2010070382.tif 000014
【図１３】
2010070382.tif 000015
【図１４】
2010070382.tif 000016
【図１５】
2010070382.tif 000017
【図１６】
2010070382.tif 000018
【図１７】
2010070382.tif 000019
【図１８】
2010070382.tif 000020
【図１９】
2010070382.tif 000021
【図２０】
2010070382.tif 000022
【図２１】
2010070382.tif 000023
【図２２】
2010070382.tif 000024
【図２３】
2010070382.tif 000025
【図２４】
2010070382.tif 000026
【図２５】
2010070382.tif 000027
【図２６】
2010070382.tif 000028